(57)【要約】【課題】単純な構成でドアチョーク溝に沿って伝播する高周波の進行を阻止し、高周波遮蔽性能を確保しながら製造しやすい高周波加熱装置のチョーク構造を実現する。【解決手段】開口部３を有し内部に被加熱物１０を収容する加熱室１と、開口部３を開閉自在に覆うドア４と、開口部３の周囲にドア４と対向して設けられた開口周縁部５と、加熱室１内に高周波を供給する高周波供給手段２とを備えた高周波加熱装置であって、ドア４が、ドア４の閉状態において開口周縁部５と対向するチョーク構造を有し、チョーク構造が、スリット６で区切られ袋状断面を有するチョーク素子９を櫛歯状に周期的に配置した構成であり、チョーク構造の周期的構成の終端となるチョーク素子９と開口周縁部との間隔が、チョーク構造の周期的構成の終端以外のチョーク素子９と開口周縁部５との間隔より狭いものである。【選択図】図４
2011103184.tif 000002
【特許請求の範囲】
【請求項１】
開口部を有し内部に被加熱物を収容する加熱室と、前記開口部を開閉自在に覆うドアと、前記開口部の周囲に前記ドアと対向して設けられた開口周縁部と、前記加熱室内に高周波を供給する高周波供給手段とを備えた高周波加熱装置であって、前記ドアが、前記ドアの閉状態において前記開口周縁部と対向するチョーク構造を有し、前記チョーク構造が、スリットで区切られ袋状断面を有するチョーク素子を櫛歯状に周期的に配置した構成であり、前記チョーク構造の周期的構成の終端となる前記チョーク素子と前記開口周縁部との間隔が、前記チョーク構造の周期的構成の終端以外の前記チョーク素子と前記開口周縁部との間隔より狭い高周波加熱装置。
【請求項２】
前記チョーク構造の周期的構成の終端となる前記チョーク素子の前記開口周縁部に対向する面の一部が前記開口周縁部に近接する請求項１に記載の高周波加熱装置。
【請求項３】
前記ドアのコーナー部で、２辺の前記チョーク構造の周期的構成の直交する位置の近傍に前記チョーク構造の周期的構成の終端となる前記チョーク素子が設けられ、前記チョーク構造の周期的構成の終端となる前記チョーク素子と前記開口周縁部との間隔が、前記チョーク構造の周期的構成の終端以外の前記チョーク素子と前記開口周縁部との間隔より狭い請求項１に記載の高周波加熱装置。
【発明の詳細な説明】
【技術分野】
【０００１】
本発明は、チョーク構造を用いて、加熱室とドアの間から外部に漏洩しようとする高周波を遮蔽する高周波加熱装置に関するものである。
【背景技術】
【０００２】
従来のこの種の高周波加熱装置は、インピーダンス反転方法を実現するチョーク溝をドアに設置し、そのチョーク構造にスリットを設けた周期的な櫛歯形状とし、設置辺毎に周期を異なるようにするものがある（例えば、特許文献１参照）。そして、電子レンジの加熱室とドアの隙間を通ってドア外側へと漏洩しようとする高周波をチョーク構造と、この周期的構成により減衰するが、周期的構成の間隔を設置辺毎に調整することでより減衰効果を高めるとしている。
【０００３】
ドア隅角部に臨む２辺の周期的構成体を電気的に接続する連結片を設けたものがある（例えば、特許文献２参照）。そして、周期的構成体をよりドアの角に接近して設置でき、減衰効果を高めるとしている。
【０００４】
加熱室開口周囲のフランジ部に対向して、ドア端部から延設しチョークを構成する張出し面のドア隅角部近傍の長さを違えたものがある（例えば、特許文献３参照）。そして、ドア隅角部近傍では、チョーク構造の開口幅が広くなるため、張出し面を部分的に長くすることで共振周波数を調整し、減衰効果を維持するとしている。
【先行技術文献】
【特許文献】
【０００５】
【特許文献１】特開２００７−３１７６０７号公報
【特許文献２】特許第２９５７８３３号公報
【特許文献３】特許第３２４９２４０号公報
【発明の概要】
【発明が解決しようとする課題】
【０００６】
上記周期的構成はドアチョーク溝に沿って伝播する高周波に対して遅波回路の原理で働き、伝播を阻止するものであるが、ドアコーナー近傍ではドアコーナーから外側には周期的構成の繰返しがなく、十分な効果が期待できないため、周期的構成の間隔を設置辺毎に調整するものは、各設置辺中間での減衰効果を高められてもドアコーナーの減衰効果を確保することはできない。
【０００７】
ドア隅角部に臨む２辺の周期的構成体を電気的に接続する連結片を設けたものは、チョーク構造をドアコーナーに寄せて、チョーク溝としての減衰効果が得られる範囲を広められるが、ドアチョーク溝に沿って伝播する高周波に対しての効果は無く、構造も複雑になってしまう。
【０００８】
ドア端部から延設しチョークを構成する張出し面のドア隅角部近傍の長さを違えたものは、ドアコーナーでチョーク溝寸法がずれるのを補正し、チョーク溝としての減衰効果を確保するが、ドアチョーク溝に沿って伝播する高周波に対しての効果は無い。
【０００９】
以上のように、従来の高周波加熱装置では、ドアチョーク溝に沿って伝播する高周波をドアコーナーで阻止することが難しく、構造が複雑になるという課題を有していた。
【００１０】
本発明は、上記従来の課題を解決するもので、単純な構成でドアチョーク溝に沿って伝播する高周波をドアコーナーで阻止し、製造しやすく高周波遮蔽性能を確保した高周波加熱装置を提供することを目的とする。
【課題を解決するための手段】
【００１１】
上記従来の課題を解決するために、本発明の高周波加熱装置は、開口部を有し内部に被加熱物を収容する加熱室と、前記開口部を開閉自在に覆うドアと、前記開口部の周囲に前記ドアと対向して設けられた開口周縁部と、前記加熱室内に高周波を供給する高周波供給手段とを備えた高周波加熱装置であって、前記ドアが、前記ドアの閉状態において前記開口周縁部と対向するチョーク構造を有し、前記チョーク構造が、スリットで区切られ袋状断面を有するチョーク素子を櫛歯状に周期的に配置した構成であり、前記チョーク構造の周期的構成の終端となる前記チョーク素子と前記開口周縁部との間隔が、前記チョーク構造の周期的構成の終端以外の前記チョーク素子と前記開口周縁部との間隔より狭いものである。
【００１２】
これによって、単純な構成でドアチョーク溝に沿って伝播する高周波をドアコーナーで阻止し、製造しやすく高周波遮蔽性能を確保した高周波加熱装置を実現することができる。
【発明の効果】
【００１３】
本発明の高周波加熱装置は、高周波遮蔽性能を確保しながら単純で製造しやすい構成とすることができる。
【図面の簡単な説明】
【００１４】
【図１】一般的な高周波加熱装置の斜視図
【図２】一般的な高周波加熱装置の断面図
【図３】従来の高周波加熱装置における高周波遮蔽部の斜視図
【図４】本発明の実施の形態における高周波遮蔽部の構成図
【図５】本発明の実施の形態における高周波遮蔽部の斜視図
【発明を実施するための形態】
【００１５】
第１の発明は、開口部を有し内部に被加熱物を収容する加熱室と、開口部を開閉自在に覆うドアと、開口部の周囲にドアと対向して設けられた開口周縁部と、加熱室内に高周波を供給する高周波供給手段とを備えた高周波加熱装置であって、ドアが、ドアの閉状態において開口周縁部と対向するチョーク構造を有し、チョーク構造が、スリットで区切られ袋状断面を有するチョーク素子を櫛歯状に周期的に配置した構成であり、チョーク構造の周期的構成の終端となるチョーク素子と開口周縁部との間隔が、チョーク構造の周期的構成の終端以外のチョーク素子と開口周縁部との間隔より狭いものであり、周期的構成の終端で、ドアチョーク溝に沿った高周波の伝播路をほぼ短絡状態として遮断することで、単純な構成で製造しやすく高周波遮蔽性能を確保した高周波加熱装置を実現することができる。
【００１６】
第２の発明は、特に第１の発明のチョーク構造の周期的構成の終端となるチョーク素子の開口周縁部に対向する面の一部が開口周縁部に近接するものであり、ドアチョーク溝に沿った高周波の伝播路を簡単な構成でほぼ短絡状態とし、製造しやすく高周波遮蔽性能を確保した高周波加熱装置を実現することができる。
【００１７】
第３の発明は、特に第１の発明のドアのコーナー部で、２辺のチョーク構造の周期的構成の直交する位置の近傍にチョーク構造の周期的構成の終端となるチョーク素子が設けられ、チョーク構造の周期的構成の終端となるチョーク素子と開口周縁部との間隔が、チョ
ーク構造の周期的構成の終端以外のチョーク素子と開口周縁部との間隔より狭いものであり、２辺のドアチョーク溝に沿ってドアコーナーに向かって伝播する高周波を１つのチョーク素子により遮断し、単純な構成で製造しやすく高周波遮蔽性能を確保した高周波加熱装置を実現することができる。
【００１８】
以下、本発明の実施の形態について、図面を参照しながら説明する。なお、この実施の形態によって本発明が限定されるものではない。
【００１９】
（実施の形態）
図１、２はそれぞれ一般的な高周波加熱装置（電子レンジ）の斜視図、断面図である。図３は、従来の高周波加熱装置における高周波遮蔽部を示す斜視図である。
【００２０】
図１、２において、被加熱物１０は開閉自在に設置されたドア４を開き、開口部３より加熱室１内に収納され、高周波供給手段２により発生し、加熱室１に供給された高周波によって加熱される。金属材料からなる加熱室１の壁面と金属材料からなるドア４により、供給される高周波を内部に閉じ込める略直方体構造を構成する。
【００２１】
しかし、開口部３周囲に設けられた金属材料からなる開口周縁部５とドア４の間には隙間７があり、この隙間７から高周波がドア外側に向かって漏洩してゆく。ドア４の周囲にはチョーク溝８が開口周縁部５と対向して設けられ、チョーク溝８の短絡終端からλ／４の距離でインピーダンスを反転して、チョーク開口付近を無限大インピーダンスにして、隙間７からドア外側に向かって漏洩してゆく高周波を遮断する。
【００２２】
図３において、ドア４のチョーク溝８はチョーク素子９とスリット６の繰り返しによる周期的構成で構成され、チョーク素子９およびスリット６の寸法を最適に設計することでチョーク溝８に沿って伝播する高周波の進行を阻止する。以上のように加熱室１から隙間７をドア外側に向かって漏洩する高周波は、チョーク溝８に対し垂直な成分はチョークの働きで遮断し、平行成分は周期的構成の働きで進行を阻止し、高周波遮蔽性能を確保している。しかし、ドアコーナーでは直行する２辺の周期的構成が終端となり、周期性による高周波の進行を阻止する効果が得られなくなる。
【００２３】
図４は本発明の実施の形態における高周波遮蔽部の構成図である。開口周縁部５とドア４の隙間７をチョーク溝８に沿って伝播する高周波は、チョーク素子９とスリット６の繰り返しで構成される周期的構成で阻止されるが、ドアコーナー近辺の漏洩電波１２には周期的構成終端のため進行阻止効果が得られない。終端チョーク素子１１は、開口周縁部５と一部が接触する程に隙間７が狭く、漏洩電波１２の伝播路をほぼ短絡することで遮断する。
【００２４】
図５は本発明の実施の形態における高周波遮蔽部の斜視図である。終端チョーク素子１１は、チョーク素子９とスリット６の繰り返しで構成される２辺の周期的構成それぞれの並びが直行する位置に設けられ、両方向の漏洩電波の伝播路をほぼ短絡して遮断する。
以上のようにドアチョーク溝に沿って伝播する高周波をドアコーナーで遮断し、単純な構成で製造しやすく高周波遮蔽性能を確保した高周波加熱装置を実現することができる。
【産業上の利用可能性】
【００２５】
以上のように、本発明にかかる高周波加熱装置は製造しやすい構成で、高周波遮蔽性能を確保でき、電子レンジで代表されるような誘電加熱を利用した加熱装置や生ゴミ処理機、などの用途にも適用できる。
【符号の説明】
【００２６】
１  加熱室
２  高周波供給手段
３  開口部
４  ドア
５  開口周縁部
６  スリット
７  隙間
８  チョーク溝
９  チョーク素子
１０  被加熱物
１１  終端チョーク素子
１２  漏洩電波
【図２】
2011103184.tif 000003
【図１】
2011103184.tif 000004
【図３】
2011103184.tif 000005
【図４】
2011103184.tif 000006
【図５】
2011103184.tif 000007